(57)【要約】      （修正有）【課題】卓上において空気の流れを変える卓上用簡易型空気コントローラーを提供する。【解決手段】同一寸法、同一入力電力、同一送風能力を持つ複数の小型ファン１を並列に一つのユニットケース２に収め、同一の電圧を印加し、同一の空気取り込み口から空気を取り込み、それぞれ同一の大きさの送風口から送風することにより複数の送風口から同量の空気が流出する送風ユニットを構成し、卓上の空気がユニット前方にファンの数に応じて均一に流れる。オフィスにおける隣席への空気をコントロールできる他、ハンダ付け作業のような有害な煙が出る作業においてダクトのような規模の大きい設備を用いることなく容易に安全な環境を作り出すことが可能となる。卓上での実習作業時やハンダ付けを伴う各種大会において活用が可能である。【選択図】図１
0003193649.tif 000002
【実用新案登録請求の範囲】
【請求項１】
ファンを一つ以上同時に駆動することにより、卓上の空気がファン前方に均一に流れる様にユニットを構成し、左右又は前後又は上下に空気を移動させる卓上用簡易空気コントローラー。
【請求項２】
前記ユニットの一つ以上の組み合わせにより、左右又は前後から上下又は左右へ連動して空気が流れていく卓上用簡易空気コントローラー。
【請求項３】
前記ユニットの電源として、パソコンからのＵＳＢ又は電池を用いる卓上用簡易空気コントローラー。
【考案の詳細な説明】
【技術分野】
【０００１】  本考案は、空気送風機に関するものである。
【背景技術】
【０００２】  机を並べて仕事をすることが多い。事務仕事や工作仕事で机の上の空気をコントロールしたい場合が出てくる。扇風機のようなものもあるが、周りから風を吸い込み三次元的に見て一方向に風を押し当てるだけの流れである。ダクトのようなものもあるが装置が大がかりになってしまう。エアーカーテンは小部屋の大きさで風向きをコントロールする。卓上用の省スペース型で簡易に空気をコントロールするものは見当たらない。
【考案の概要】
【考案が解決しようとする課題】
【０００３】  卓上における簡易用空気コントローラが必要となる。
【課題を解決するための手段】
【０００４】  小さなファンが連動するユニットの一つ以上において卓上の空気を右左又は前後や上下へ流したり、さらにユニットを連動させ上方又は左右や前後のいずれかに空気を流すものである。
すなわち、本考案は以下の通りである。
１．ファンを一つ以上同時に駆動することにより、卓上の空気がファン前方に均一に流れる様にユニットを構成し、左右又は前後又は上下に空気を移動させる卓上用簡易空気コントローラー。
２．前記ユニットの一つ以上の組み合わせにより、左右又は前後から上下又は左右へ連動して空気が流れていく卓上用簡易空気コントローラー。
３．前記ユニットの電源として、パソコンからのＵＳＢ又は電池を用いる卓上用簡易空気コントローラー。
【考案の効果】
【０００５】  本考案は、オフィスにおいて卓上の空気をコントロールしたい場合、具体的には隣の席から空気が直接流れ込むことを避けたい場合や、自分の席から隣の席へ直接空気が流れることを避けたい場合に適する。また、卓上でハンダ付け作業を行う場合に、溶けたハンダから煙となって出てくる有毒の鉛を吸うことなく、撹拌して空気を流すことに大いに役立つ。多くの人が各卓の上でハンダ付け作業を行うときに、各卓の左右に一つのユニットを横向きに、もう一つのユニットを上向きに置くことによって隣の人に鉛が流れることなく、上方に拡散できる。実習作業時やハンダ付けを伴う各種の大会時の環境改善に役立つ。
【図面の簡単な説明】
【０００６】
【図１】ファンを５個取り付けたユニットの例
【図２】ユニットを卓上に置いた場合の例と空気の流れ
【図３】ユニットに高さを持たせた場合の例
【図４】ユニットの電源
【考案を実施するための形態】
【０００７】  以下、本考案を実施形態に従って説明する。
図１にファンを５個取り付けたユニットの例を示す。一つのファンは５ボルトで電流が０．０５アンペアのものを使用する。この仕様によりパソコンのＵＳＢに接続した場合、最大１０個のファンが駆動できる。各ファンは並列接続し、電源ソケットに接続される。ユニットはファンから空気が出る面以外にもう一面は塞がれており、残り二面は空気の取り込みができるようになっている。壁に沿って置いた場合でも残り一面から空気が取り込める。
図２にユニットを卓上に直接置いた場合の例と空気の流れを示す。空気の流れをよりスムーズにするためにガイドを設けることも可能である。図２の上の例では左のユニットから卓上の右方に空気が流れ、右ユニットで上方に流れるように置いた例である。ハンダ付けを伴うような作業をする場合、卓上の一カ所に限り作業が行われる場合は限られており、卓全体に空気の流れができるように理想的には５つ、標凖的には３つ、少なくとも２つのファンから空気を出す必要がある。これらのファンから出た空気は、卓上のハンダ付け作業により出た鉛を含んだ煙を作業者の顔に近づけることなく、右側に流す。また、右側に流れた空気は隣の作業者に流れる前に上方に流される。図２の下の例ではユニットの２つがともに右に空気を送る例である。
図３にユニットに高さを持たせた場合の例を示す。
図４にユニットの電源を示す。コンピュータのＵＳＢ端子の電源は５ボルト、５００ミリアンペアであるため、ファン５つのユニットを２台まで、ファン３つユニットであれば３台まで接続可能である。電池ボックスを接続する場合は単４乾電池４本で、ファン５つのユニットを連続４時間以上使用可能ため、ハンダ付けの作業やハンダ付け作業を伴う各種の技術競技大会などにおいて十分活用することができる。
【０００８】  本考案は、卓上の空気の流れをコントロールするものである。隣の席から流れてくる空気を変えたい場合や、自席からの空気の流れを変えたい場合に有効である。ユニット１つでも流れを造ることが可能であるが、２つのユニットを活用することにより、さらに応用範囲が広まる。卓上でのハンダ付け作業など有害な煙が発生する場合などはさらに有効に利用が可能である。学校における実習作業、電子機械組み立てなどの全国大会や世界大会においても活用が考えられる。
【符号の説明】
【０００９】１  ファン、２  ユニットケース、３  電源ソケット、４  空気の流れ、５  ユニット
６  卓面、７  コンピュータ、８  ＵＳＢケーブル、９  電池ボックス
【図１】
0003193649.tif 000003
【図２】
0003193649.tif 000004
【図３】
0003193649.tif 000005
【図４】
0003193649.tif 000006
【手続補正書】
【提出日】平成26年7月17日(2014.7.17)
【手続補正１】
【補正対象書類名】実用新案登録請求の範囲
【補正対象項目名】全文
【補正方法】変更
【補正の内容】
【実用新案登録請求の範囲】
【請求項１】
同一寸法、同一入力電力、同一送風能力を持つ複数の小型ファンを並列に一つのケースに収め、同一の電圧を印加し、同一の空気取り込み口から空気を取り込み、それぞれ同一の大きさの送風口から送風することにより複数の送風口から同量の空気が流出する送風ユニットを構成し、卓上の空気がユニット前方にファンの数に応じて均一に流れる卓上用簡易空気コントローラー。
【請求項２】
前記ユニットの設置の向きや組み合わせにより、左右又は前後から上下又は左右へ連動して空気が流れていく請求項１に記載の卓上用簡易空気コントローラー。
【請求項３】
前記ユニットの電源として、パソコンからのＵＳＢ又は電池を用いる請求項１に記載の卓上用簡易空気コントローラー。
【手続補正２】
【補正対象書類名】明細書
【補正対象項目名】全文
【補正方法】変更
【補正の内容】
【考案の詳細な説明】
【技術分野】
【０００１】  本考案は、空気送風機に関するものである。
【背景技術】
【０００２】  机を並べて仕事をすることが多い。事務仕事や工作仕事で机の上の空気をコントロールしたい場合が出てくる。扇風機のようなものもあるが、周りから風を吸い込み三次元的に見て一方向に風を押し当てるだけの流れである。ダクトのようなものもあるが装置が大がかりになってしまう。エアーカーテンは小部屋の大きさで風向きをコントロールする。卓上用の省スペース型で簡易に空気をコントロールするものは見当たらない。
【考案の概要】
【考案が解決しようとする課題】
【０００３】  卓上における簡易用空気コントローラが必要となる。
【課題を解決するための手段】
【０００４】  小さなファンが連動するユニットの一つ以上において卓上の空気を右左又は前後や上下へ流したり、さらにユニットを連動させ上方又は左右や前後のいずれかに空気を流すものである。
すなわち、本考案は以下の通りである。
１．同一寸法、同一入力電力、同一送風能力を持つ複数の小型ファンを並列に一つのケースに収め、同一の電圧を印加し、同一の空気取り込み口から空気を取り込み、それぞれ同一の大きさの送風口から送風することにより複数の送風口から同量の空気が流出する送風ユニットを構成し、卓上の空気がユニット前方にファンの数に応じて均一に流れる卓上用簡易空気コントローラー。
２．前記ユニットの設置の向きや組み合わせにより、左右又は前後から上下又は左右へ連動して空気が流れていく１．記載の卓上用簡易空気コントローラー。
３．前記ユニットの電源として、パソコンからのＵＳＢ又は電池を用いる１．記載の卓上用簡易空気コントローラー。
【考案の効果】
【０００５】  本考案は、オフィスにおいて卓上の空気をコントロールしたい場合、具体的には隣の席から空気が直接流れ込むことを避けたい場合や、自分の席から隣の席へ直接空気が流れることを避けたい場合に適する。また、卓上でハンダ付け作業を行う場合に、溶けたハンダから煙となって出てくる有毒の鉛を吸うことなく、撹拌して空気を流すことに大いに役立つ。多くの人が各卓の上でハンダ付け作業を行うときに、各卓の左右に一つのユニットを横向きに、もう一つのユニットを上向きに置くことによって隣の人に鉛が流れることなく、上方に拡散できる。実習作業時やハンダ付けを伴う各種の大会時の環境改善に役立つ。
【図面の簡単な説明】
【０００６】
【図１】ファンを５個取り付けたユニットの例
【図２】ユニットを卓上に置いた場合の例と空気の流れ
【図３】ユニットに高さを持たせた場合の例
【図４】ユニットの電源
【考案を実施するための形態】
【０００７】  以下、本考案を実施形態に従って説明する。
図１にファンを５個取り付けたユニットの例を示す。一つのファンは５ボルトで電流が０．０５アンペアのものを使用する。この仕様によりパソコンのＵＳＢに接続した場合、最大１０個のファンが駆動できる。各ファンは並列接続し、電源ソケットに接続される。ユニットはファンから空気が出る面以外にもう一面は塞がれており、残り二面は空気の取り込みができるようになっている。壁に沿って置いた場合でも残り一面から空気が取り込める。
図２にユニットを卓上に直接置いた場合の例と空気の流れを示す。空気の流れをよりスムーズにするためにガイドを設けることも可能である。図２の上の例では左のユニットから卓上の右方に空気が流れ、右ユニットで上方に流れるように置いた例である。ハンダ付けを伴うような作業をする場合、卓上の一カ所に限り作業が行われる場合は限られており、卓全体に空気の流れができるように理想的には５つ、標準的には３つ、少なくとも２つのファンから空気を出す必要がある。これらのファンから出た空気は、卓上のハンダ付け作業により出た鉛を含んだ煙を作業者の顔に近づけることなく、右側に流す。また、右側に流れた空気は隣の作業者に流れる前に上方に流される。図２の下の例ではユニットの２つがともに右に空気を送る例である。
図３にユニットに高さを持たせた場合の例を示す。
図４にユニットの電源を示す。コンピュータのＵＳＢ端子の電源は５ボルト、５００ミリアンペアであるため、ファン５つのユニットを２台まで、ファン３つユニットであれば３台まで接続可能である。電池ボックスを接続する場合は単４乾電池４本で、ファン５つのユニットを連続４時間以上使用可能ため、ハンダ付けの作業やハンダ付け作業を伴う各種の技術競技大会などにおいて十分活用することができる。
【０００８】  本考案は、卓上の空気の流れをコントロールするものである。隣の席から流れてくる空気を変えたい場合や、自席からの空気の流れを変えたい場合に有効である。ユニット１つでも流れを造ることが可能であるが、２つのユニットを活用することにより、さらに応用範囲が広まる。卓上でのハンダ付け作業など有害な煙が発生する場合などはさらに有効に利用が可能である。学校における実習作業、電子機械組み立てなどの全国大会や世界大会においても活用が考えられる。
【符号の説明】
【０００９】１  ファン、２  ユニットケース、３  電源ソケット、４  空気の流れ、５  ユニット  ６  卓面、７  コンピュータ、８  ＵＳＢケーブル、９  電池ボックス